(57)【要約】【課題】発光効率が高く、均一に面発光する薄型の偏光光源装置を得る。【解決手段】有機ＥＬ発光層１１０の表面１１１から発せられた光はλ／４板１４０に入射し偏光される。偏光された光はワイヤーグリッド１５０に入射し、ワイヤ１５１が延びる方向に対して垂直な電場方向を有する光がワイヤーグリッド１５０を通過する。その他の光はワイヤーグリッド１５０により反射され、λ／４板１４０に入射し偏光される。偏光された光は対向側電極１２１が有する反射板１２２により反射され、再びλ／４板１４０に入射し偏光される。λ／４板１４０を通過した光は透明電極１３０を通過して、ワイヤーグリッド１５０に入射し、ワイヤ１５１が延びる方向に対して垂直な電場方向を有する光はワイヤーグリッド１５０を通過し、偏光光源装置１００の外部へ照射される。【選択図】図１
2008180788.tif 000002
【特許請求の範囲】
【請求項１】
表面及び裏面から光を照射する面発光光源と、
前記面発光光源から照射された光を透過すると共に前記光の偏光状態を変更する位相変調手段と、
前記表面から照射され、及び前記位相変調手段において透過された光の偏光状態に応じて、光を透過又は反射する光偏光反射手段と、
前記裏面から照射され、及び前記位相変調手段において透過された光を反射する光反射手段とを備える偏光光源装置。
【請求項２】
前記位相変調手段は前記表面と前記光偏光反射手段との間に設けられる請求項１に記載の偏光光源装置。
【請求項３】
前記位相変調手段は前記裏面と前記光反射手段との間に設けられる請求項１に記載の偏光光源装置。
【請求項４】
前記光反射手段は前記面発光光源のための第１の電極を備え、前記裏面に対向する面が光を反射し、
前記表面と前記光偏光反射手段との間には前記面発光光源のための第２の電極が設けられる請求項２又は３に記載の偏光光源装置。
【請求項５】
前記光偏光反射手段は光を透過する基板上に設けられる請求項４に記載の偏光光源装置。
【請求項６】
前記位相変調手段はλ／４板である請求項１に記載の偏光光源装置。
【請求項７】
前記面発光光源は有機ＥＬ発光体である請求項１に記載の偏光光源装置。
【請求項８】
前記光偏光反射手段はワイヤーグリッド偏光板である請求項１に記載の偏光光源装置。
【請求項９】
請求項５に記載の偏光光源装置を複数備える画像表示装置であって、前記偏光光源装置ごとに液晶シャッタが設けられ、前記液晶シャッタは前記偏光光源装置が照射する光を透過又は遮断する画像表示装置。
【請求項１０】
前記液晶シャッタの前記偏光光源装置が設けられる面と反対側の面にカラーフィルタが設けられる請求項９に記載の画像表示装置。
【請求項１１】
前記カラーフィルタは赤色、緑色、及び青色のうちいずれか１つの色を有する請求項１０に記載の画像表示装置。
【請求項１２】
請求項５に記載の偏光光源装置を複数備える画像表示装置であって、前記偏光光源装置における光を照射する面にカラーフィルタが設けられる画像表示装置。
【請求項１３】
前記カラーフィルタは赤色、緑色、及び青色のうちいずれか１つの色を有する請求項１２に記載の画像表示装置。
【請求項１４】
前記カラーフィルタにおける前記偏光光源装置が設けられる面と反対側の面に液晶シャッタが設けられ、前記液晶シャッタは前記偏光光源装置が照射する光を透過又は遮断する請求項１３に記載の画像表示装置。
【請求項１５】
請求項５に記載の偏光光源装置を複数備える画像表示装置であって、前記面発光光源は赤色、緑色、及び青色のうちいずれか１つの色の光を発光する画像表示装置。
【請求項１６】
前記偏光光源装置ごとに液晶シャッタが設けられ、前記液晶シャッタは前記偏光光源装置が照射する光を透過又は遮断する請求項１５に記載の画像表示装置。
【請求項１７】
前記カラーフィルタ又は前記偏光光源装置は、照射する色ごとに列を成すストライプ配列により設けられる請求項１４又は１６に記載の画像表示装置。
【請求項１８】
前記カラーフィルタ又は前記偏光光源装置は、照射する色ごとに１つの対角方向へ列を成すモザイク配列により設けられる請求項１４又は１６に記載の画像表示装置。
【請求項１９】
前記カラーフィルタ又は前記偏光光源装置は、照射する色がデルタ配列により設けられる請求項１４又は１６に記載の画像表示装置。
【発明の詳細な説明】
【技術分野】
【０００１】
本発明は、特定の偏光状態を有する光を生じる偏光光源装置に関する。
【背景技術】
【０００２】
偏光光源装置は、例えば画像表示装置の光源として用いられる。画像表示装置は入力された画像を画像表示部に表示する。画像表示部には偏光光源装置が設けられる。
【０００３】
偏光光源装置は一定の偏光方向を有する光を発光する。それぞれの偏光光源装置が発光する光は液晶シャッタに向けて照射され、液晶シャッタは光の偏光方向を利用して、光を透過したり、遮断したりする。
【０００４】
偏光光源装置は、一定の偏光方向を有する光を発光するための偏光板と均一に面発光するための拡散板とを備える。偏光板は一定方向に偏光した光のみを透過し、それ以外の偏光方向の光を反射する。偏光光源装置の光量を増加させるために、この反射される光を偏光して再度偏光板に導く導光板が知られている（特許文献１）。
【特許文献１】特開２００３−２０７６４６号公報
【発明の開示】
【発明が解決しようとする課題】
【０００５】
しかし、導光板は偏光光源装置の幅方向から入力した光を導光するものであるため、偏光光源装置の幅方向に発光体を設ける必要があり、隣り合う偏光光源装置との間隔が大きくなる。間隔が大きくなると画像表示部で発光しない部分の面積が増大し、表示画像の輝度が低下するなど、均一な面発光を得にくい欠点がある。
【０００６】
さらに、均一な面発光を得るためには拡散板を厚くする必要があるが、拡散板を厚くすると画像表示装置を薄くすることができない。
【０００７】
本発明は、これらの問題を解決するためになされたものであり、発光効率が高く、均一に面発光する薄型の偏光光源装置を得ることを目的とする。
【課題を解決するための手段】
【０００８】
本発明による偏光光源装置は、表面及び裏面から光を照射する面発光光源と、面発光光源から照射された光を透過すると共に光の偏光状態を変更する位相変調手段と、表面及び位相変調手段から照射された光の偏光状態に応じて、光を透過又は反射する光偏光反射手段と、裏面及び位相変調手段から照射された光を反射する光反射手段とを備える。
【０００９】
位相変調手段は表面と光偏光反射手段との間に設けられることが好ましい。このとき、光反射手段は面発光光源のための第１の電極を備え、裏面に対向する面が光を反射し、表面と光偏光反射手段との間には面発光光源のための第２の電極が設けられればなお良い。
【００１０】
位相変調手段は裏面と光反射手段との間に設けられてもよい。このとき、光反射手段は面発光光源のための第１の電極を備え、裏面に対向する面が光を反射し、表面と光偏光反射手段との間には面発光光源のための第２の電極が設けられればなお良い。
【００１１】
光偏光反射手段は光を透過する基板上に設けられることが望ましい。
【００１２】
位相変調手段はλ／４板であって、面発光光源は有機ＥＬ発光体であり、光偏光反射手段はワイヤーグリッド偏光板であればなお良い。
【００１３】
画像表示装置は偏光光源装置を複数備え、偏光光源装置ごとに液晶シャッタが設けられ、液晶シャッタは偏光光源装置が照射する光を透過又は遮断することが望ましい。
【００１４】
画像表示装置には、液晶シャッタの偏光光源装置が設けられる面と反対側の面にカラーフィルタが設けられることが好ましい。これにより発光色の分光輝度を制御することが可能になる。カラーフィルタは赤色、緑色、及び青色のうちいずれか１つの色であるものが好適である。これにより、白色発光の面発光光源を用い、カラー表示することが可能となる。
【００１５】
画像表示装置は偏光光源装置を複数備え、偏光光源装置における光を照射する面にカラーフィルタが設けられることが望ましい。
【００１６】
画像表示装置のカラーフィルタは、赤色、緑色、及び青色のうちいずれか１つの色を有することが好ましく、カラーフィルタにおける偏光光源装置が設けられる面と反対側の面には液晶シャッタが設けられ、液晶シャッタは偏光光源装置が照射する光を透過又は遮断すればなお良い。
【００１７】
画像表示装置は偏光光源装置を複数備え、面発光光源は赤色、緑色、及び青色のうちいずれか１つの色の光を発光することが望ましい。
【００１８】
画像表示装置には偏光光源装置ごとに液晶シャッタが設けられ、液晶シャッタは偏光光源装置が照射する光を透過又は遮断することが好ましい。
【００１９】
画像表示装置におけるカラーフィルタ又は偏光光源装置は、ストライプ配列、モザイク配列、又はデルタ配列により設けられることが望ましい。
【発明の効果】
【００２０】
本発明によれば、発光効率が高く、均一に面発光する薄型の偏光光源装置を得ることができる。
【発明を実施するための最良の形態】
【００２１】
以下、本発明の実施形態について添付図面を参照して説明する。
【００２２】
本発明による偏光光源装置における第１の実施形態について図１及び図２を用いて説明する。
【００２３】
偏光光源装置１００は有機ＥＬ発光層１１０を備える。有機ＥＬ発光層１１０の表面１１１には第２の電極である透明電極１３０が密着し、透明電極上にはλ／４板１４０とワイヤーグリッド１５０および基板１６０が配置される。発光層１１０と反対側の面には第１の電極である対向側電極１２０および反射板１２２が設けられる。対向側電極は光に対し高い反射率とすることにより、反射板を兼ねる。
【００２４】
有機ＥＬ発光層１１０は透明であって、表面１１１及び裏面１１２の双方から様々な偏光方向を有する光を生じる。λ／４板１４０は、入射した光が有する直交する振動成分に対して１／４波長に相当する位相差を与え、偏光方向を変更する。すなわち、直線偏光は楕円偏光に変更され、楕円偏光は直線偏光に変更される。透明電極１３０は透明であり、有機ＥＬ発光層１１０に電気を供給する。ワイヤーグリッド１５０は基板１６０に設けられる。ワイヤーグリッド１５０はワイヤ１５１を一定間隔で平行に並べられることにより形成される。ワイヤ１５１の延びる方向と直交する電場方向を有する光はワイヤーグリッド１５０を透過し、平行な電場方向を有する光は反射する。光反射手段１２０の有機ＥＬ発光層１１０と接する面には対向側電極１２１と反射板１２２を兼ねる面が設けられる。この面は例えばアルミ又は銀等から成る導電体であって、光の反射率が高い物質により形成される。対向側電極１２１は有機ＥＬ発光層１１０と電子を受け渡し、反射板１２２は有機ＥＬ発光層１１０から発する光を反射する。
【００２５】
次に、図２を用いて第１の実施形態における偏光光源装置１００の作用について説明する。図２は有機ＥＬ発光層の表面から生じた光の第1の実施形態による偏光光源装置内部の光路を示した図である。
【００２６】
有機ＥＬ発光層１１０の表面１１１から発せられた光１７０、１７１はλ／４板１４０に入射し、１／４波長に相当する位相差が与えられる。これにより、光は直線偏光から楕円偏光に、あるいは楕円偏光から直線偏光に偏光される。偏光された光はワイヤーグリッド１５０に入射する。入射した光のうち、ワイヤーグリッド１５０のワイヤ１５１が延びる方向に対して垂直な電場方向を有する光１７０のみがワイヤーグリッド１５０を通過する。
【００２７】
ワイヤ１５１が延びる方向に対して垂直でない偏光方向を有する光１７１はワイヤーグリッド１５０により反射され、λ／４板１４０に入射し偏光され、透明電極１３０に向かう。透明電極１３０を通過した光１７２は有機ＥＬ発光層１１０を通過し、対向側電極１２１に照射される。光１７２は対向側電極１２１が有する反射板１２２により反射される。反射された光１７３は再び有機ＥＬ発光層１１０、透明電極１３０を通過してλ／４板１４０に入射し、再度偏光される。
【００２８】
λ／４板１４０を通過した光は、ワイヤーグリッド１５０に入射する。この光のうち、ワイヤ１５１が延びる方向に対して垂直な電場方向を有する光はワイヤーグリッド１５０を通過し、さらに透明な基板１６０を通過して偏光光源装置１００の外部へ照射される。
【００２９】
さらにワイヤ１５１が延びる方向に対して垂直でない電場方向を有する光は、ワイヤーグリッド１５０により反射され、λ／４板１４０により偏光されることを繰り返すことによりワイヤーグリッド１５０を通過することができ、偏光光源装置１００の外部へ照射される。
【００３０】
有機ＥＬ発光層１１０の裏面１１２から発せられた光１８０は対向側電極１２１に照射される。光は対向側電極１２１が有する反射板１２２により反射される。反射された光１８１は有機ＥＬ発光層１１０と透明電極１３０を通過してλ／４板１４０に入射する。入射した光は偏光される。この光はワイヤーグリッド１５０に入射する。入射した光のうち、ワイヤーグリッド１５０のワイヤ１５１が延びる方向に対して垂直な電場方向を有する光のみがワイヤーグリッド１５０を通過する。
【００３１】
ワイヤ１５１が延びる方向に対して垂直でない電場方向を有する光１８１はワイヤーグリッド１５０により反射され、λ／４板１４０により偏光される。偏光された光は透明電極１３０及び有機ＥＬ発光層１１０を通過し、対向側電極１２１が有する反射板１２２により反射される。反射された光１８３は有機ＥＬ発光層１１０及び透明電極１３０を通過し、再びλ／４板１４０により偏光されてワイヤーグリッド１５０に入射する。
【００３２】
この光は有機ＥＬ発光層１１０の裏面１１２から発光した後λ／４板１４０を３回通過しているため、発光してから３・λ／４波長に相当する位相差が与えられている。つまり、この光が有する直交する振動成分の位相差は、有機ＥＬ発光層１１０が発光した光の位相差と比較して３π／２ずれている。この光のうち、ワイヤーグリッド１５０のワイヤ１５１が延びる方向に対して垂直な偏光方向を有する光はワイヤーグリッド１５０を通過し、さらに透明な基板１６０を通過して偏光光源装置１００の外部へ照射される。
【００３３】
さらにワイヤ１５１が延びる方向に対して垂直でない偏光方向を有する光は、ワイヤーグリッド１５０により反射され、λ／４板１４０により偏光されることを繰り返すことによりワイヤーグリッド１５０を通過することができ、偏光光源装置１００の外部へ照射される。
【００３４】
これにより、ワイヤーグリッド１５０を通過できない偏光方向の光を繰り返し偏光してワイヤーグリッド１５０に入射させることができ、有機ＥＬ発光層１１０が照射した光を効率よく活かし、偏光光源装置１００が発生する光量を増やすことが出来る。
【００３５】
次に、図３から５を用いて第２の実施形態における偏光光源装置３００の作用について説明する。第１の実施形態と同様の構成については説明を省略する。
【００３６】
図４は、有機ＥＬ発光層の表面から生じた光の光路を示した図であり、図５は有機ＥＬ発光層の裏面から生じた光の光路を示した図である。
【００３７】
第２の実施形態では、λ／４板３３０は有機ＥＬ発光層３１０と対向側電極３２０との間に設けられる。
【００３８】
有機ＥＬ発光層３１０の表面３１１から発せられた光３７０は透明電極３４０を通過してワイヤーグリッド３５０に入射する。入射した光３７０のうち、ワイヤーグリッド３５０のワイヤ３５１が延びる方向に対して垂直な電場方向を有する光３７１のみがワイヤーグリッド３５０を通過する。
【００３９】
ワイヤ３５１が延びる方向に対して垂直でない電場方向を有する光３７２はワイヤーグリッド３５０により反射され、透明電極３４０を通過する。光３７２はさらに有機ＥＬ発光層３１０を通過し、λ／４板３３０に入射する。λ／４板３３０は入射した光を偏光する。λ／４板３３０を通過した光は対向側電極３２０に照射される。光は対向側電極３２０が有する反射板３２２により反射され、λ／４板３３０に入射する。入射した光３７３はλ／４板３３０により再度偏光される。すなわち、この光３７３は、有機ＥＬ発光層３１０の表面３１１から照射された光に対して位相差がπずれることにより生じる偏光方向を有する。
【００４０】
λ／４板３３０を通過した光は有機ＥＬ発光層３１０と透明電極３４０を通過して、ワイヤーグリッド３５０に入射する。入射した光のうち、ワイヤ３５１が延びる方向に対して垂直な電場方向を有する光３７３はワイヤーグリッド３５０を通過し、さらに透明な基板３６０を通過して偏光光源装置３００の外部へ照射される。
【００４１】
さらにワイヤ３５１が延びる方向に対して垂直でない電場方向を有する光３７４は、ワイヤーグリッド３５０により反射され、λ／４板３３０により位相差が与えられることを繰り返すことによりワイヤーグリッド３５０を通過して偏光光源装置３００の外部へ照射される。
【００４２】
裏面３１２から発せられた光３８０はλ／４板３３０に入射する。入射した光３８０は、λ／４板３３０により偏光される。λ／４板３３０を通過した光３８０は対向側電極３２０により反射され、λ／４板３３０に入射する。光３８１はλ／４板３３０において再び偏光され、有機ＥＬ発光層３１０及び第２の基板１６０を通過してワイヤーグリッド３５０に入射する。入射した光３８１のうち、ワイヤーグリッド３５０におけるワイヤ３５１が延びる方向に対して垂直な電場方向を有する光３８２のみがワイヤーグリッド３５０を通過する。
【００４３】
ワイヤ３５１が延びる方向に対して垂直でない電場方向を有する光３８３はワイヤーグリッド３５０により反射され、透明電極３４０に向かう。透明電極３４０から有機ＥＬ発光層３１０を通過した光３８３は、λ／４板３３０に入射してさらに偏光方向がπ／２ずらされる。偏光方向がずらされた光は対向側電極３２０が有する反射板３２２により反射される。反射された光３８４は有機ＥＬ発光層３１０を通過してλ／４板３３０に入射する。入射した光は、λ／４板３３０により再び偏光方向がπ／２ずらされる。すなわち、この光は有機ＥＬ発光層３１０が照射した光に対して２πずれることにより生じる偏光方向を有する。
【００４４】
λ／４板３３０を通過した光３８５は有機ＥＬ発光層３１０と透明電極３４０を通過してワイヤーグリッド３５０に入射する。この光３８５のうちワイヤーグリッド３５０においてワイヤ３５１が延びる方向に対して垂直な電場方向である光３８６は、ワイヤーグリッド３５０を通過し、透明な基板３６０を通過して偏光光源装置３００の外部へ照射される。
【００４５】
さらにワイヤ３５１が延びる方向に対して垂直でない電場方向を有する光３８７は、ワイヤーグリッド３５０により反射され、λ／４板３３０により位相差が与えられることを繰り返すことによりワイヤーグリッド３５０を通過して偏光光源装置３００の外部へ照射される。
【００４６】
これにより、ワイヤーグリッド３５０を通過できない偏光方向の光を繰り返し偏光してワイヤーグリッド３５０に入射させることができ、有機ＥＬ発光層３１０が照射した光を効率よく活かし、偏光光源装置３００が発生する光量を増やすことが出来る。
【００４７】
また、発光方向に対して垂直に光源を設ける必要がないため、偏光光源装置における発光面を広く確保することが可能となる。すなわち、偏光光源装置の発光方向における投影面積に占める発光面積の割合を大きくして、画像表示部における単位面積あたりの発光量を増加させることができる。
【００４８】
次に図６を用い、第１又は第２の偏光光源装置１００、３００を光源として用いた画像表示装置について説明する。
【００４９】
偏光光源装置１００、３００が有する有機ＥＬ発光層は白色光を発光する。偏光光源装置１００、３００の表面１１１、３１１、すなわち基板１６０、３６０のワイヤーグリッド１５０、３５０が設けられる面の裏側には液晶シャッタ６１０が、そして液晶シャッタ６１０の上にはカラーフィルタ６１２が設けられる。液晶シャッタ６１０は動画の画像を表示するタイミングに従って、偏光光源装置１００、３００が生じる光の透過又は遮断を制御する。カラーフィルタ６１２は赤、緑、青色を有し、液晶シャッタ６１０からの照射された光を赤、緑、青色に着色して画像表示装置の外部に向けて照射する。
【００５０】
これにより、均一に発光する薄型の画像表示装置を得ることができる。
【００５１】
なお、有機ＥＬ発光層は白色光に発光するものでなく、単色に発光するものであればよい。画像表示装置はカラーフィルタに由来する発光色を有する。
【００５２】
また、有機ＥＬ発光層は単色に発光し、画像表示装置にはカラーフィルタが設けられなくてもよい。このとき、画像表示装置は有機ＥＬ発光層に由来する発光色を有する。
【００５３】
カラーフィルタは設けられなくてもよい。有機ＥＬ発光層に由来する発光色を発光する画像表示装置が得られる。
【００５４】
あるいは、全てのカラーフィルタが赤、緑、青色のいずれか１色からなるものであってもよい。単色の発光色を有する画像表示装置が得られる。
【００５５】
次に図７から９を用い、第１又は第２の偏光光源装置１００、３００を用いた第１のフィールドシーケンシャル型表示装置について説明する。
【００５６】
図７は、第１のフィールドシーケンシャル型表示装置の断面を模式的に示した図である。
【００５７】
第１のフィールドシーケンシャル型表示装置では、偏光光源装置１００、３００がカラーフィルタ６１２に光を投光する。カラーフィルタ６１２を通過した光は液晶シャッタ６１０により光量を制御されて表示装置の外部に投光される。
【００５８】
図８に示すように、偏光光源装置１００、３００はカラーフィルタ６１２ごとに設けられる。画像を表示するとき、画像の赤色を含む画素に対応する全ての偏光光源装置１００、３００が白色光を発光する。白色光はカラーフィルタ６１２により赤色に着色されて、赤色光が液晶シャッタに入射する。これらの動作を青色及び緑色についても繰り返すことにより、３色の光が液晶シャッタへ順番に入射する。
【００５９】
図９に示すように、液晶シャッタ６１０はカラーフィルタの角を中心として４枚のカラーフィルタ６１２にまたがって設けられる。これにより１つの液晶シャッタ６１０に対し３色の光が入射する。
【００６０】
液晶シャッタ６１０は、カラーフィルタ６１２から入射した３色の光の輝度を調整し、表示装置の外部に３色の光を投光する。以上の動作は十分に短い時間間隔で行われ、動画表示における１フィールドの画像を再現する間に、観察者は３色の光を混合して認識する。そのため表示装置は様々な色を有する画像を表示して観察者に認識させることが可能となる。
【００６１】
次に図１０を用い、第１又は第２の偏光光源装置１００、３００を用いた第２のフィールドシーケンシャル型表示装置について説明する。第１のフィールドシーケンシャル型表示装置と同様の構成については説明を省略する。
【００６２】
１つの偏光光源装置１００、３００は赤、緑、青色の３色に発光し、カラーフィルタ６１２は設けられない。画像を表示するとき、画像の赤色を含む画素に対応する全ての偏光光源装置１００、３００が赤色光を発光する。赤色光は液晶シャッタ６１０に入射する。これらの動作を青色及び緑色に発光する偏光光源装置１００、３００についても繰り返すことにより、３色の光が液晶シャッタ６１０へ順番に入射する。
【００６３】
カラーフィルタを設けずにすむため、装置を薄型化し、かつコストを削減することができる。
【００６４】
なお、第２のフィールドシーケンシャル型表示装置において、偏光光源装置１００、３００と液晶シャッタ６１０との間にカラーフィルタを設けても良い。これにより発光色をさらに純度の高い色とすることができる。
【００６５】
また、第１及び第２のフィールドシーケンシャル型表示装置において、液晶シャッタは３色の光源からの光が必要とされる強度で入射できる状態であればよく、カラーフィルタ４枚にまたがるものでなくても良い。
【００６６】
図１１から１３は、第１及び第２のフィールドシーケンシャル型表示装置における偏光光源装置１００、３００又はカラーフィルタ６１２の配置を示した図である。
【００６７】
図１１において、偏光光源装置１００、３００又はカラーフィルタ６１２は照射する光の色ごとに列を作るように並べられるストライプ配列により設けられる。このとき、液晶シャッタ６１０は３つのカラーフィルタ６１２を覆うように設けられると良い。
【００６８】
図１２において、偏光光源装置１００、３００又はカラーフィルタ６１２は照射する光の色ごとに偏光光源装置１００、３００の対角方向に並べられるモザイク配列により設けられる。
【００６９】
図１３において、偏光光源装置１００、３００又はカラーフィルタ６１２はデルタ配列により設けられる。
【００７０】
偏光光源装置をフィールドシーケンシャル型表示装置に使用することにより、シャープかつ彩度の高い画像を表示することが可能となる。
【００７１】
なお、対向側電極及び反射板はアルミニウム又は銀でなくても良く、伝導性が高く、反射率の高い材料であればよい。
【００７２】
また、画像表示装置には、液晶シャッタが設けられなくても良い。有機ＥＬ発光層が液晶シャッタよりも高速にスイッチングすることにより、より応答速度の速い画像表示装置を得、残像の少ない高精細な画像を表示することが可能となる。
【図面の簡単な説明】
【００７３】
【図１】第１の実施形態による偏光光源装置である。
【図２】第１の実施形態による偏光光源装置内部の光路を示した図である。
【図３】第２の実施形態による偏光光源装置である。
【図４】第２の実施形態による偏光光源装置内部の光路を示した図である。
【図５】第２の実施形態による偏光光源装置内部の光路を示した図である。
【図６】偏光光源装置を用いた画像表示装置の断面を模式的に示した図である。
【図７】偏光光源装置を用いた第１のフィールドシーケンシャル型表示装置の断面を模式的に示した図である。
【図８】発光方向から見た偏光光源装置及びカラーフィルタを模式的に示した図である。
【図９】発光方向から見たカラーフィルタ及び液晶シャッタを模式的に示した図である。
【図１０】偏光光源装置を用いた第２のフィールドシーケンシャル型表示装置の断面を模式的に示した図である。
【図１１】偏光光源装置を用いた画像表示装置の部分拡大図である。
【図１２】偏光光源装置を用いた画像表示装置の部分拡大図である。
【図１３】偏光光源装置を用いた画像表示装置の部分拡大図である。
【符号の説明】
【００７４】
１００  偏光光源装置
１１０  有機ＥＬ発光層
１２１  対向側電極
１２２  反射板
１３０  透明電極
１４０  λ／４板
１５０  ワイヤーグリッド
１６０  基板
【図１】
2008180788.tif 000003
【図２】
2008180788.tif 000004
【図３】
2008180788.tif 000005
【図４】
2008180788.tif 000006
【図５】
2008180788.tif 000007
【図６】
2008180788.tif 000008
【図７】
2008180788.tif 000009
【図８】
2008180788.tif 000010
【図９】
2008180788.tif 000011
【図１０】
2008180788.tif 000012
【図１１】
2008180788.tif 000013
【図１２】
2008180788.tif 000014
【図１３】
2008180788.tif 000015